(57)【要約】　　　（修正有）【課題】低金利状況下にある一般顧客にとって有利な金融商品を提供する。【解決手段】全国の商品取引所における商品の取引価格情報を常時継続的に把握し、同一商品の同一時点の取引成立値の各限月間価格差、その価格差利益率を比較表示する。価格差の利益率の高いものの内、期近物が安く、期先物が高いものを見つけ、同一時点で期近物を買建てし、期先物を売建てし、期近物の取引決済日に契約額全額を用意して倉荷証券で現物を受取り、そのまま倉庫に置き、期先物の取引決済日に、その現物預かりの倉荷証券を渡して売建て契約額を受け取る投資方法および価格差情報を顧客に提供する方法。顧客の希望によって代行運用を行い、獲得利益から情報提供料、運用手数料を収受するとともに利益を顧客に提供する。【選択図】なし【特許請求の範囲】
【請求項１】
▲１▼、金融商品であり対顧客宣伝、契約の際「契約時利益確定商品投資」、又は「完全利益確定商品投資」、又は「利益確定安全商品投資」、又は　「完全利益確保商品投資」、又は「利益確保安全商品投資」、又は「完全利益確定コーヒー投資」又は前記「コーヒー」の部分に適宜な商品名を入れた呼称とする。
▲２▼、▲１▼の呼称による宣伝で顧客よりの申込を受け契約期間預託される受託金を、▲３▼以下の方法で運用し、契約期間終了後返却する契約とする。
▲３▼、コンピューターに
イ、日本国内の全て又は適宜な商品取引所の、上場商品の全て又は適宜な商品の、全ての又は適宜な限月の取引成立値又は気配値の、刻々の変化値を、取引が行われている時間中継続的に自動受信し、記憶し、自動的　に又は指示操作に従い、過去より現時点迄のデーターの全て、又は適宜なものを表示するソフト。
ロ、同一時点での同一商品取引所の同一商品ごとの各限月物の取引成立値又は気配値の、異なる限月間の価格差額、又は同一時点での同一商品の同一限月物の複数商品取引所での取引成立値又は気配値の、取引所間の価格差額、又は同一時点での同一商品の複数商品取引所での異なる限月物の取引成立値又は気配値の、異なる取引所での異なる限月間の価格差額を、取引が行われている時間中継続的に自動計算し、継続的に、又は指示操作により随時、それら価格差額を表示するソフト。
ハ、ロで計算された価格差額を、各組合わせの期限の近い方の限月物の価格で除した割合を自動計算し、更にその価格差を出した組み合わせの両限月間の期間の長さを勘案して年利換算利益率を自動計算し、その時点における価格差の年利換算利益率が最大なものより大きい順を比較検知し、大きい順に配列し、継続的に、該当商品取引所名、該当商品名、該当限月名、具体的価格差額、具体的年利換算利益率、最近時点での両限月の取引成立値又は気配値などを表示する、或いは指示操作に従い、前記事項の内該当するものを適宜選出、表示するソフト。
ニ、イ及びハを利用連動し、組み合わせの両限月の内、期限の近い限月物の方が価格が低いものを選出し、その時点における価格差の年利換算利益率が大きい順に配列し、継続的に、該当商品取引所名、該当商品名、該当限月名、具体的価格差額、具体的年利換算利益率、最近時点での両限月の取引成立値又は気配値、などを表示する、或いは指示操作に従い適宜なものを選出、表示するソフト。
ホ、ニを利用連動し、ニで選出された組み合わせの両限月の内、期限の近い限月の物を、最近時点の取引成立値又は気配値で買建てし現物受取りして、期限の先の限月の物を、最近時点の取引成立値又は気配値で売建てし現物渡しするとして、その間の倉庫料など必要経費を具体的価格差額による利益見込額から差引勘案して修正し、その修正利益見込額による年利換算利益率も修正算出して大きい順に配列し、継続的に、該当商品取引所名、該当商品名、該当限月名、具体的価格差利益額、具体的年利換算利益率、最近時点での両限月の取引成立値又は気配値、などを表示する、或いは指示操作に従い適宜なものを選出、表示するソフト。
ヘ、ホを利用連動し、その時点における価格差利益額の年利換算利益率が最大な組み合わせ、又は適宜な順位迄の組み合わせの両限月の内、期限の近い限月の物を、最近時点の取引成立値又は気配値で買建てし現物受取りするとして、それら商品の、商品取引所規定発注単位で発注する場合の、商品取引業者への仲介手数料、倉庫料など必要経費を含めた必要資金額を自動算出し、指示操作によって随時それを表示するソフト。
又はホとは特に連動せず指示操作により選定した商品の、選定した組み合わせの両限月物の内、期限の近い限月の物を、最近時点の取引成立値又は気配値で買建てし現物受取りするとして、それら商品の、商品取引所規定発注単位で発注する場合の、商品取引業者への仲介手数料、倉庫料など必要経費を含めた必要資金額を算出し、指示操作によって随時それを表示するソフト。
ト、指示操作により具体的に各取引所への発注を仲介する、予め登録した商品取引業者のインターネット又はＥメールアドレスへ自動接続する、又はその他の通信手段により前記商品取引業者に自動接続するソフト。
チ、ホ及びヘ及びトを利用連動し、選定指示した商品の、選定指示した組み合わせの両限月物を、指示した数量分、その時点の価格又は成り行き価格で、同時に、期限の近い限月物を買建てし、期限の先の限月物を売建てする事を、仲介業者に自動発注するソフト。
以上の如きソフトの全部又は適宜な物を入力記憶させる。
▲４▼、顧客に対し、▲３▼により得られた情報を提供し、その時点で価格差利益額の年利換算利益率が最大、又は適宜な順位迄の組み合わせを選定紹介し、それら組み合わせ両限月商品への投資を勧誘、受注した場合、▲３▼のソフトを利用し、次の方法を以て対応及び預かり資金運用管理を行う。
イ、受注選定された商品の受注した数量分、その時点の価格又は成り行き価格で、受注選定された組み合わせの期限の近い限月物を買建てし、期限の先の限月物を売建てする事を、仲介業者に発注する。
ロ、前項発注により具体的に買建て、売建て価格が決定したら、両限月物の内期限の近い限月物の決定価格で受注した数量分の合計金額を計算、その額を受注預かり資金額とし、それに受注手数料、倉庫料等必要経費額を加算した金額を基本とした適宜な預かり金を顧客より預かる。
ハ、買建てした限月物の決済期日が到来したら顧客よりの預かり金により、倉荷証券による現物受取りをし、以後売建てした限月物の決済期日到来迄、倉庫料等第三者に支払うべき必要経費の支払いを代行する。
ニ、売建てした限月物の決済期日が到来したら倉荷証券渡しで現物渡しし、売建て契約価格による決済代金を受け取り、顧客に引き渡す。
以上の方法、システムの金融商品。
【請求項２】
▲１▼、金融商品であり対顧客宣伝、契約の際「契約時利益確定型商品フアンド」、又は「完全利益確定商品フアンド」、又は「利益確定安全商品フアンド」、又は「完全利益確保商品フアンド」、又は「利益確保安全商品フアンド」、又は「完全利益確定コーヒーフアンド」又は前記「コーヒー」の部分に適宜な商品名を入れた呼称とする。
▲２▼、顧客の募集、受託を次の方法で行う。
イ、請求項１の▲４▼の顧客よりの受注に際し、同▲４▼のイ、ロの方法によらず以下の方法で行う。また具体的対応処理に当っては請求項１の▲３▼、又は請求項１の▲３▼を必要に応じ適宜修正したソフトを利用する。
ロ、顧客に請求項１の▲３▼により得られた情報などを提供勧誘し、具体的な商品と限月の組み合わせの選定は、本金融商品販売主催業者に一任してもらうものとし、受託金額を１口１万円、或いはその他適宜な単位の金額を１口として、顧客の希望口数を受託する。
ハ、そして適宜な期間顧客を募集し、申込契約を受けた募集総額、或いは予め定めた一定の募集総額、を運用基金とする。
▲３▼、運用は以下の方法で行う。
イ、運用を開始する時点で請求項１の▲３▼により得られた情報により、商品の選定と限月の組み合わせの選定を行い、選定した商品の選定した組み合わせの期限の近い限月物を買建てし、期限の先の限月物を売建てするものとして、本金融商品販売主催業者としての受注手数料、倉庫業者への倉庫料等必要経費を差引勘案して、▲２▼のハの運用基金額で、その時点の価格で買建て出来る数量を計算、その数量分選定商品の選定組み合わせの期限の近い限月物を買建てし、期限の先の限月物を売建てする事を、商品取引業者に発注する。又は１回に大量の発注をする事により買建て価格が上がり、或いは売建て価格が下がるなどの情況が考えられる場合などは、適宜分散発注する。
ロ、買建てした限月物の決済期日が到来したら顧客からの預かり金により、倉荷証券による現物受取りをし、以後売建てした限月の決済期日到来迄、倉庫料等第三者に支払うべき必要経費の支払いを代行する。
ハ、売建てした限月の決済期日が到来したら倉荷証券により現物渡しし、売建て契約価格による決済代金を受け取り、当該運用基金の募集１口当り分配金額を計算、各顧客の申込口数に応じ配分引き渡しをする。
以上の方法、システムの金融商品。
【請求項３】
▲１▼、金融商品であり対顧客宣伝、契約の際の呼称は請求項１の▲１▼と同様とする。▲２▼、▲１▼の呼称による宣伝で顧客よりの申込を受け契約期間預託される受託金を、▲３▼以下の方法で運用し、契約期間終了後返却する契約とする。
▲３▼、コンピューターに入力記憶させるソフトを請求項１の▲３▼の内イロハは同様のものとし、ニよりチを次のように変更する。
ニ、イ及びハを利用連動し、組み合わせの両限月の内、期限の先の限月物の方が価格が低いものを選出し、その時点における価格差の年利換算利益率が大きい順に配列し、継続的に、該当商品取引所名、該当商品名、該当限月名、具体的価格差額、具体的年利換算利益率、最近時点での両限月の取引成立値又は気配値などを表示する、或いは指示操作に従い、適宜なものを選出、表示するソフト。
ホ、ニを利用連動し、ニで選出された組み合わせの両限月の内、期限の近い限月の物を、最近時点の取引成立値又は気配値で売建てし、現物渡しして、期限の先の限月の物を、最近時点の取引成立値又は気配値で買建てし現物受けするとして、現物渡しする品はリース契約により第三者より借受けて、或いは本金融商品販売主催業者又は関連業者がリース貸付けを行い、現物受けした段階でリース返却する又は返却させる形態とし、そのリース料など顧客に負担を求める必要経費を、具体的価格差額による利益見込額から差引勘案して修正し、その修正利益見込額による年利換算利益率も修正算出して大きい順に配列し、継続的に、該当商品取引所名、該当商品名、該当限月名、具体的価格差利益額、具体的年利換算利益率、最近時点での両限月の取引成立値又は気配値などを表示する、或いは指示操作に従い前記の内適宜なものを選出、表示するソフト。
ヘ、ホを利用連動し、その時点における価格差利益額の年利換算利益率が最大な組み合わせ、又は適宜な順位迄の組み合わせの両限月の内、期限の近い限月の物を、最近時点の取引成立値又は気配値で売建てし現物渡しするとして、それら商品の、商品取引所規定発注単位で発注する場合の、商品取引業者への仲介手数料、ホ記載のリース料等必要経費を含めた必要資金額を自動算出し、指示操作によって随時それらを表示するソフト。又はホとは特に連動せず、指示操作により選定した商品の、選定した組み合わせの両限月物の内、期限の近い限月の物を、最近時点の取引成立値又は気配値で売建てし現物渡しするとして、それら商品の、商品取引所規定発注単位で発注する場合の、商品取引業者への仲介手数料、ホ記載のリース料等必要経費を含めた必要資金額を算出し、指示操作によって随時それらを表示するソフト。
ト、指示操作により具体的に各取引所への発注を仲介する、予め登録した商品取引業者のインターネット又はＥメールアドレスへ自動接続する、又はその他の通信手段により前記商品取引業者に自動接続するソフト。
チ、ホ及びヘ及びトを利用連動し、選定指示した商品の、選定指示した組み合わせの両限月物を、指示した数量分、その時点の価格又は成り行き価格で、同時に、期限の近い限月物を売建てし、期限の先の限月物を買建てする事を、仲介業者に自動発注するソフト。
以上の如きソフトの全部又は適宜な物を入力記憶させる。
▲４▼、顧客に対し、▲３▼により得られた情報を提供し、その時点での価格差利益額の年利換算利益率が最大の組み合わせ、又は適宜な順位迄の組み合わせを選定、それら組み合わせ両限月商品への投資を勧誘、受注した場合▲３▼のソフトを利用し次の方法を以て対応及び預かり資金運用を行う。
イ、受注選定された商品の受注した数量分、その時点の価格又は成り行き価格で、選定された組み合わせの期限の近い限月物を売建てし、期限の先の限月物を買建てする事を、仲介業者に発注する。
ロ、前項発注により具体的に売建て、買建て価格が決定したら、両限月物の内期限の近い限月物の決定価格で受注した数量分の合計金額を計算、その額を受注預かり資金額とし、それに受注手数料、リース料等必要経費額を加算した金額を基本とした適宜な預かり金を顧客より預かる。
ハ、売建てした限月物の決済期日が到来したら顧客よりの預かり金より、リース保証金或いはリース料などを支払いリース供与を受け、又はリース保証金或いはリース料などを受け取ってリース供与を行い、それら方法によるリース品によって現物渡しする。以上による第三者に支払うべき必要経費などの支払いを代行する。
ニ、買建てした限月物の決済期日が到来したら現物受けしリース返却する又は返却させる形態とし、そして得た売建て、買建て価格の価格差利益額、及び返却されたリース保証金などから、リース料など必要経費、扱い手数料などを差引き、顧客に返却引き渡す。
以上の方法、システムの金融商品。
【請求項４】
▲１▼、金融商品であり対顧客宣伝、契約の際の呼称は請求項２の▲１▼と同様とする。▲２▼、顧客の募集、受託を次の方法で行う。
イ、請求項３の▲４▼の顧客よりの受注に際し、同▲４▼のイ、ロの方法によらず以下の方法で行う。また具体的対応処理に当っては請求項３の▲３▼のソフト、又は請求項３の▲３▼を必要に応じ適宜修正したソフトを利用する。
ロ、顧客に請求項３の▲３▼により得られた情報などを提供勧誘し、具体的な商品と限月の組み合わせの選定は、本金融商品販売主催業者に一任してもらうものとし、受託金額を１口１万円、或いはその他適宜な単位の金額を１口として、顧客の希望口数を受託する。
ハ、そして適宜な期間顧客を募集し、申込契約を受けた募集総額、或いは予め定めた一定の募集総額、を運用基金とする。
▲３▼、運用は以下の方法で行う。
イ、運用を開始する時点で請求項３の▲３▼により得られた情報により、商品の選定と限月の組み合わせの選定を行い、選定した商品の選定した組み合わせの期限の近い限月物を売建てし、期限の先の限月物を買建てするとして、売建てしたものの現物引き渡しをリース保証金或いはリース料などを支払い適宜な第三者よりリース供与を受け、又はリース保証金或いはリース料などを受け取った形態として本金融商品販売主催業者がリース供与を行うものとし、リース保証金に販売主催業者としての受注手数料、リース料等必要経費額を加算勘案し、▲２▼のハの運用基金額で、その時点の価格でリース供与により売建て出来る数量を計算、その数量分選定商品の選定組み合わせの期限の近い限月物を売建てし、期限の先の限月物を買建てする事を、商品取引業者に発注する。又は１回に大量の発注をする事により買建て価格が上がり、或いは売建て価格が下がるなどの情況が考えられる場合などは、適宜分散発注する。
ロ、売建てした限月物の決済期日が到来したら、顧客からの受託金より、リース保証金或いはリース料などを支払いリース供与を受け、又はリース保証金或いはリース料などを受け取った形態としてリース供与を行い、それら方法によるリース品により現物渡しする。以上による第三者に支払うべき必要経費などの支払いも代行する。
ハ、買建てした限月物の決済期日が到来したら現物受けしリース返却する又は返却させる形態とし、そして得た売建て、買建て価格の価格差利益額よりリース料など必要経費、扱い手数料などを差引き、当該運用基金募集口数により１口当り分配金額を計算、顧客の申込口数に応じ配分引き渡しをする。
以上の方法、システムの金融商品。
【請求項５】
請求項１、請求項２、請求項３、請求項４の各金融商品の運用に付き次の如く変更した方法、システムの金融商品。
▲１▼、期近物が期先物より価格が安い限月物の組み合わせにおいて、買建てした限月物の決済期日が到来する以前に買建てした限月物の価格が値上がりし、或いは売建てした限月物の価格が値下がりし、或いはその両方が生じ、その値上がり幅或いは値下がり幅による利益を勘案すると、当初の買建て限月物の決済期日に現物受けし売建て限月物の決済期日に、それを現物渡しするより年利換算利益率が良い場合、又はその他適宜な判断或いは状況がある場合、買建て限月物、売建て限月物を同時に反対売買して決済し、顧客に元利を返却或いは該当運用基金募集口数により１口当り分配金額を計算、顧客の申込口数に応じ配分引き渡しをする。
▲２▼、期近物が期先物より価格が高い限月物の組み合わせにおいて、売建てした限月物の決済期日が到来する以前に買建てした限月物の価格が値上がりし、或いは売建てした限月物の価格が値下がりし、或いはその両方が生じ、その値上がり幅或いは値下がり幅による利益を勘案すると、当初の売建て限月物の決済期日にリース借り現物渡しし、買建て限月物の決済期日に現物受けリース返済するより年利換算利益率が良い場合、又はその他適宜な判断或いは状況がある場合、買建て限月物、売建て限月物を同時に反対売買して決済し、顧客に元利を返却或いは該当運用基金募集口数により１口当り分配金額を計算、顧客の申込口数に応じ配分引き渡しをする。
【発明の詳細な説明】
【０００１】
【産業上の利用分野】
金融業界、投資信託業界及び商品取引業界
【０００２】
【従来の技術】
現在景気低迷下にあって一般的金融商品である定期預金は年利１％程度、投資信託なども良くて年間利益３％程度、赤字のものもある。リスクの大きい外貨預金でも６％程度である。一般顧客にとって極めて不満な金利状況下にある。
【０００３】
【発明が解決しようとする課題】
本発明は前記の如き全面的低金利状況下にある一般顧客にとって、有利な金融商品を提供せんとするものである。
【０００４】
【解決するための手段】
本発明は従来バクチと見られてきた商品取引所における各種商品の取引状態の中で、同一商品取引所の同一商品の同一時点の取引成立値で、各限月間にかなり価格差のあるものが存在し、例えば或る商品の同一時点の取引成立値で、七月限６０００円、九月限８５００円など、僅か２か月の差で３０％以上の価格差の有るものがあり、年利換算にして３０％以上の価格差のものは殆ど常時多数存在している事を発見した。そこでこれら価格差の有るものの内、更に期近物が安く、期先物が高いものを見つけ、同一時点で期近物を買建てし、期先物を売建てし、期近物の取引決済日に契約額全額を用意して現物を引取り倉庫に預け、期先物の取引決済日に、その現物預かりの倉荷証券を渡して売建て契約額全額を受け取る。このようにすれば、倉庫に保管料など必要経費を払っても年利換算２０％以上の物が常時多数存在する、そして買建て、売建てした段階で利益額が確定する訳である。以上のような処置・運用を一般顧客に代って行い、獲得利益から若干の募集運用手数料を収受して、利益を顧客に提供する。
【０００５】
【作用１】
史上最低と言われる現下の低金利時代に、年利換算１５％以上の高利を、しかも投資資金３０万円程度の零細資金の預託顧客にも、３か月程度の短期投資で契約時利益確定の金融商品として提供できる。
【０００６】
【作用２】
請求項２を利用すれば、契約時利益確定短期投資信託として５千円単位程度からの零細資金預託顧客にも３か月程度の短期投資で年利換算１５％以上の高利を提供できる。
【０００７】
【作用３】
各請求項共、受託者も３〜５％程度の手数料又は利益を得られる。